(57)【要約】【課題】複数の筐体部材が組み合わされる際に、複数の筐体部材にそれぞれ設けられた凸部同士の間に線材が挟み込まれることを抑制することができる筐体を提供する。【解決手段】内部にケーブル４が収容される筐体２であって、第１ボス突出面２１２ａから突出した第１ボス２１４を有する第１筐体部材と、第２ボス突出面２２２ａから突出した第２ボス２２４を有し、第１筐体部材と組み合わされる第２筐体部材とを備え、第１ボス２１４は、第１筐体部材と第２筐体部材とが組み合わされる際に、第２ボス２２４と係合し、第１ボス２１４の先端面である第１先端面２１４ａは、第１ボス２１４の突出方向に対して傾斜している。【選択図】図９
2018125421.tif 000002
【特許請求の範囲】
【請求項１】
内部に線材が収容される筐体であって、
内面から突出した第１凸部を有する第１筐体部材と、
内面から突出した第２凸部を有し、前記第１筐体部材と組み合わされる第２筐体部材と、を備え、
前記第１凸部は、前記第１筐体部材と前記第２筐体部材とが組み合わされる際に、前記第２凸部と係合し、
前記第１凸部の先端面である第１先端面は、前記第１凸部の突出方向に対して傾斜していることを特徴とする筐体。
【請求項２】
前記第１筐体部材は、前記第１凸部の周側面から突出した周側面突出部を有し、
前記周側面突出部は、前記第１先端面の頂部に連続した連続面を有し、
前記連続面は、前記第１凸部の突出方向に対して傾斜していることを特徴とする請求項１に記載の筐体。
【請求項３】
前記第１凸部および前記第２凸部の一方には、当該一方の凸部の突出方向に延び、当該一方の凸部が設けられた前記第１筐体部材および前記第２筐体部材の一方の外面から締結ネジが挿入されるネジ挿入孔が設けられ、
前記第１凸部および前記第２凸部の他方には、当該他方の凸部の先端側から当該他方の凸部の突出方向に延び、前記締結ネジが螺合する締結穴が設けられていることを特徴とする請求項１または２に記載の筐体。
【請求項４】
前記第２凸部の先端面である第２先端面は、前記第２凸部が突出した前記第２筐体部材の内面に対して平行であり、
前記第１凸部の先端部には、前記第１筐体部材と前記第２筐体部材とが組み合わされる際に前記第２凸部の先端部と係合する凹部が設けられ、
前記凹部と係合した前記第２凸部の前記第２先端面が突き当たる前記凹部の底面は、前記ネジ挿入孔が延びる方向に対して直交することを特徴とする請求項３に記載の筐体。
【請求項５】
前記第２凸部の先端面である第２先端面は、前記第２凸部の突出方向に対して傾斜しており、
前記第２凸部の突出方向を軸とした周方向において、前記第２先端面が、前記第１先端面が向いた方向と同じ方向を向いていることを特徴とする請求項１ないし３のいずれか一項に記載の筐体。
【請求項６】
前記第２凸部の先端面である第２先端面は、前記第２凸部の突出方向に対して傾斜しており、
前記第２凸部の突出方向を軸とした周方向において、前記第２先端面が、前記第１先端面が向いた方向に対して交差する方向を向いていることを特徴とする請求項１ないし３のいずれか一項に記載の筐体。
【請求項７】
前記第１筐体部材と前記第２筐体部材とが組み合わされた状態において、前記第１凸部の突出方向を軸とした周方向において、前記第１先端面が、前記線材のうち前記第１凸部に最も近い部分における前記線材の配線方向に対して交差する方向を向いていることを特徴とする請求項１ないし５のいずれか一項に記載の筐体。
【請求項８】
前記第１筐体部材には、前記線材の一方の端部が固定され、
前記第２筐体部材には、前記線材の他方の端部が固定されていることを特徴とする請求項１ないし７のいずれか一項に記載の筐体。
【請求項９】
前記第１筐体部材と前記第２筐体部材とが組み合わされた状態では、前記筐体の外部から前記第１凸部および前記第２凸部を視認不能であることを特徴とする請求項１ないし８のいずれか一項に記載の筐体。
【請求項１０】
請求項１ないし９のいずれか一項に記載の筐体と、
前記筐体に収容された前記線材と、
前記筐体に収容されたスピーカーユニットと、
を備えたことを特徴とするスピーカー装置。
【発明の詳細な説明】
【技術分野】
【０００１】
本発明は、内部に線材が収容される筐体およびスピーカー装置に関するものである。
【背景技術】
【０００２】
従来、特許文献１が開示するように、線材（配線材）が筐体（エンクロージャ）の内壁に接触した状態で筐体が振動した際に異音が発生することを防止するために、線材を筐体に埋設或いは溶着して、筐体と線材とを一体に成形したスピーカー装置（スピーカ）が知られている。なお、本段落において、括弧内の文言は、特許文献１における名称を示す。
【先行技術文献】
【特許文献】
【０００３】
【特許文献１】実開平０１−１１９２９３号公報
【発明の概要】
【発明が解決しようとする課題】
【０００４】
ところで、複数の筐体部材が組み合わされる際に、複数の筐体部材にそれぞれ設けられた凸部（例えば、ネジ締結用のボス）同士の間に線材が挟み込まれてしまう場合がある。この場合、筐体の密閉度が低下したり、線材が破損したりするおそれがある。
【０００５】
本発明は、複数の筐体部材が組み合わされる際に、複数の筐体部材にそれぞれ設けられた凸部同士の間に線材が挟み込まれることを抑制することができる筐体およびスピーカー装置を提供することを課題としている。
【課題を解決するための手段】
【０００６】
本発明の筐体は、内部に線材が収容される筐体であって、内面から突出した第１凸部を有する第１筐体部材と、内面から突出した第２凸部を有し、第１筐体部材と組み合わされる第２筐体部材と、を備え、第１凸部は、第１筐体部材と第２筐体部材とが組み合わされる際に、第２凸部と係合し、第１凸部の先端面である第１先端面は、第１凸部の突出方向に対して傾斜していることを特徴とする。
【０００７】
本発明のスピーカー装置は、上記の筐体と、筐体に収容された線材と、筐体に収容されたスピーカーユニットと、を備えたことを特徴とする。
【図面の簡単な説明】
【０００８】
【図１】本発明の一実施形態に係るスピーカー装置の外観斜視図である。
【図２】第１筐体部材と第２筐体部材とが組み合わされる前の状態におけるスピーカー装置の外観斜視図である。
【図３】第１筐体部材の外観斜視図である。
【図４】第２筐体部材の外観斜視図である。
【図５】第１ボスおよび第２ボスの外観斜視図である。
【図６】第１ボスと第２ボスとが係合していない状態における第１ボスおよび第２ボスの断面図である。
【図７】第１ボスと第２ボスとが係合した状態における第１ボスおよび第２ボスの断面図である。
【図８】従来技術の筐体において第１ボスと第２ボスとの間にケーブルが挟み込まれる流れを示す図である。
【図９】本実施形態の筐体において第１ボスと第２ボスとの間からケーブルが排出される流れを示す図である。
【図１０】第１ボスを突出方向から見た図であって、第１ボスの第１先端面が向いた方向と、ケーブルの配線方向との関係を示す図である。
【図１１】図１０のＸＩ−ＸＩ切断線による第１ボスの断面図であって、第１ボスの第１先端面が向いた方向と、ケーブルの配線方向との関係を示す図である。
【図１２】第１変形例の筐体における第１ボスおよび第２ボスの外観斜視図である。
【図１３】実施形態の第１ボスと第１変形例の第１ボスとの違いを説明するための図である。
【図１４】図１３と共に、実施形態の第１ボスと第１変形例の第１ボスとの違いを説明するための図である。
【図１５】第２変形例の筐体における第１ボスおよび第２ボスの外観斜視図である。
【図１６】第２変形例の筐体における第１ボスおよび第２ボスの断面図である。
【図１７】第３変形例の筐体における第１ボスおよび第２ボスの外観斜視図である。
【図１８】第３変形例の筐体における第１ボスおよび第２ボスの断面図である。
【図１９】第４変形例の筐体における第１ボスおよび第２ボスの断面図である。
【図２０】第５変形例の筐体におけるフック受け部およびフック部の外観斜視図である。
【発明を実施するための形態】
【０００９】
本発明の筐体およびスピーカー装置の一実施形態について説明する。なお、以下の図面では、必要に応じて、各部の配置関係を明確にするために、ＸＹＺ直交座標系を表示するが、それが本発明を何ら限定するものではないことは、言うまでもない。
【００１０】
図１および図２に基づいて、スピーカー装置Ａの概略構成について説明する。スピーカー装置Ａは、Ｘ方向に細長い略直方体状すなわちバー状のものであり、バータイプスピーカーとも呼ばれる。スピーカー装置Ａは、複数（図示では６個）のスピーカーユニット１と、筐体２と、回路基板３と、ケーブル４とを備えている。
【００１１】
複数のスピーカーユニット１は、Ｘ方向に並ぶように設けられている。スピーカーユニット１は、図示しない外部装置（例えばアンプ）から出力された音声信号に基づいて、音声を出力する。
【００１２】
筐体２は、スピーカーユニット１、回路基板３およびケーブル４を収容するものであり、キャビネット或いはエンクロージャーとも呼ばれる。筐体２は、第１筐体部材２１と、第２筐体部材２２とを備えている。第１筐体部材２１には、回路基板３が取り付けられている。第２筐体部材２２には、複数（図示では６個）のスピーカー開口２２６が設けられ、スピーカー開口２２６には、スピーカーユニット１が取り付けられている。
【００１３】
第１筐体部材２１および第２筐体部材２２は、エア漏れがなくなるように、もしくは極力少なくなるように高い密閉度で相互に組み合わされ、−Ｚ側から複数本の締結ネジ２３（図７参照）により締結される。第１筐体部材２１および第２筐体部材２２は、例えば、射出成形により製造されたものである。第１筐体部材２１および第２筐体部材２２の素材は、非透光性の樹脂である。また、第１筐体部材２１および第２筐体部材２２のいずれにも、筐体２の内部を覗くことができる孔は設けられていない。このため、第１筐体部材２１と第２筐体部材２２とが組み合わされた状態では、筐体２の外部から筐体２の内部を視認することができない。
【００１４】
ケーブル４は、スピーカーユニット１と回路基板３とを電気的に接続する。なお、スピーカーユニット１側で２つに分岐した３本のケーブル４により、６個のスピーカーユニット１が回路基板３に接続されているが、これに限定されるものではない。例えば、分岐のない６本のケーブル４により、６個のスピーカーユニット１が回路基板３に接続されていてもよい。
【００１５】
上述したように、回路基板３は、第１筐体部材２１に取り付けられている。このため、ケーブル４の一方の端部は、回路基板３を介して第１筐体部材２１に固定されている。また、上述したように、スピーカーユニット１は、第２筐体部材２２に設けられたスピーカー開口２２６に取り付けられている。このため、ケーブル４の他方の端部は、スピーカーユニット１を介して、第２筐体部材２２に固定されている。
【００１６】
ケーブル４は、第１筐体部材２１と第２筐体部材２２とを組み合わせる際の作業性を考慮して、第１筐体部材２１と第２筐体部材２２とが組み合わされた状態でスピーカーユニット１と回路基板３とを接続するのに必要な長さに対して、余裕のある長さとなっている。
【００１７】
図３に基づいて、第１筐体部材２１について説明する。第１筐体部材２１は、Ｘ方向から見て略「Ｌ」字状に形成されている。第１筐体部材２１は、基板壁部２１１と、第１ボス壁部２１２と、陥入部２１３と、複数の第１ボス２１４とを備え、これらは一体に成形されている。
【００１８】
基板壁部２１１は、第１筐体部材２１と第２筐体部材２２とが組み合わされた状態では、筐体２の−Ｙ側の面を構成する。基板壁部２１１の内面（＋Ｙ側の面）には、Ｘ方向の略中間部に、回路基板３が取り付けられている。なお、基板壁部２１１のＸ方向両端部寄りには、鍵穴状の小孔２１７（図２参照）が設けられているが、小孔２１７は、図示しない遮蔽部材によって遮蔽される。
【００１９】
第１ボス壁部２１２は、第１筐体部材２１と第２筐体部材２２とが組み合わされた状態では、筐体２の−Ｚ側の面を構成する。第１ボス壁部２１２の内面（＋Ｚ側の面）である第１ボス突出面２１２ａには、複数（図示では１７個）の第１ボス２１４設けられている。
【００２０】
陥入部２１３は、第１筐体部材２１のＸ方向中間部よりも＋Ｘ側寄りに設けられている。陥入部２１３は、基板壁部２１１の一部と第１ボス壁部２１２の一部とが筐体２の内側に陥入するようにして設けられている。
【００２１】
第１ボス２１４は、第１ボス突出面２１２ａから第１ボス突出面２１２ａに直交する方向（＋Ｚ方向）に突出している。第１ボス２１４は、第１筐体部材２１と第２筐体部材２２とが組み合わされた状態では、筐体２の内部に位置する。第１ボス２１４は、第１筐体部材２１と第２筐体部材２２とが組み合わされる際に、第２筐体部材２２に設けられた第２ボス２２４と係合し、締結ネジ２３によりネジ止めされる部位である（図７参照）。複数の第１ボス２１４は、２列に分かれてＸ方向に略等間隔に並んでいる。ただし、陥入部２１３の位置には、第１ボス２１４に代えて、係合凹部２１５が設けられている。
【００２２】
図４に基づいて、第２筐体部材２２について説明する。第２筐体部材２２は、第１筐体部材２１と同様に、Ｘ方向から見て略「Ｌ」字状に形成されている。第２筐体部材２２は、スピーカー壁部２２１と、第２ボス壁部２２２と、複数の第２ボス２２４とを備え、これらは一体に成形されている。
【００２３】
スピーカー壁部２２１は、第１筐体部材２１と第２筐体部材２２とが組み合わされた状態では、基板壁部２１１に対向しており、筐体２の＋Ｙ側の面を構成する。スピーカー壁部２２１には、複数（図示では６個）のスピーカー開口２２６が設けられている。スピーカー開口２２６には、スピーカーユニット１が取り付けられる。
【００２４】
第２ボス壁部２２２は、第１筐体部材２１と第２筐体部材２２とが組み合わされた状態では、第１ボス壁部２１２に対向しており、筐体２の＋Ｚ側の面を構成する。第２ボス壁部２２２の内面（−Ｚ側の面）である第２ボス突出面２２２ａには、複数（図示では１７個）の第２ボス２２４が設けられている。なお、第２ボス壁部２２２のＸ方向両端部には、網目開口２２７が設けられているが、網目開口２２７は、図示しない遮蔽部材によって遮蔽される。
【００２５】
第２ボス２２４は、第２ボス突出面２２２ａから第２ボス突出面２２２ａに直交する方向（−Ｚ方向）に突出している。第２ボス２２４は、第１筐体部材２１と第２筐体部材２２とが組み合わされた状態では、筐体２の内部に位置する。第２ボス２２４は、第１筐体部材２１と第２筐体部材２２とが組み合わされる際に、上記の第１ボス２１４と係合し、締結ネジ２３によりネジ止めされる部位である。複数の第２ボス２２４は、複数の第１ボス２１４に対応して、２列に分かれてＸ方向に略等間隔に並んでいる。ただし、上記の係合凹部２１５に対応する位置には、係合凹部２１５と係合する係合凸部２２５が設けられている。なお、第１ボス２１４および第２ボス２２４の個数は特に限定されるものではなく、１個でもよく、１７個以外の複数個でもよい。また、第１ボス２１４および第２ボス２２４の配置も特に限定されるものではない。
【００２６】
図５ないし図７に基づいて、第１ボス２１４および第２ボス２２４について説明する。
【００２７】
第１ボス２１４は、第１ボス本体２１４１と、ガイド部２１４２とを備えている。第１ボス本体２１４１には、ネジ挿入孔２１４３が設けられている。ネジ挿入孔２１４３は、第１ボス２１４の突出方向（Ｚ方向）に延び、第１ボス壁部２１２の外面（−Ｚ側の面）から第１ボス本体２１４１の先端面まで貫通している。ネジ挿入孔２１４３には、第１ボス壁部２１２の外面から締結ネジ２３が挿入される。ガイド部２１４２は、第１ボス本体２１４１の先端面の周縁部から先方（＋Ｚ側）に突出するように設けられている。
【００２８】
第１ボス２１４の先端面、すなわちガイド部２１４２の先端面である第１先端面２１４ａは、第１ボス２１４の突出方向（Ｚ方向）に対して傾斜している。換言すれば、第１先端面２１４ａは、第１ボス突出面２１２ａに対して傾斜している。また、第１ボス２１４の先端部には、凹部２１４４が設けられている。すなわち、第１ボス本体２１４１の先端面とガイド部２１４２とにより囲まれた箇所が、凹部２１４４となっている。
【００２９】
第２ボス２２４には、締結穴２２４３が設けられている。締結穴２２４３は、第２ボス２２４の先端側（−Ｚ側）から第２ボス２２４の突出方向（Ｚ方向）に延び、締結ネジ２３が螺合する。締結ネジ２３としては、例えば、タップタイトネジなどのタッピングネジを用いることができる。なお、締結穴２２４３には、雌ネジが形成されていてもよい。また、締結穴２２４３は、第２ボス壁部２２２をその外面（＋Ｚ側の面）まで貫通していないが、これを貫通してもよい。第２ボス２２４の先端面である第２先端面２２４ａは、第２ボス２２４の突出方向に対して直交している。
【００３０】
第１筐体部材２１と第２筐体部材２２とが組み合わされる際には、第１ボス２１４と第２ボス２２４とがそれぞれの突出方向（Ｚ方向）に対向した状態から、第１ボス２１４の凹部２１４４と第２ボス２２４の先端部とが係合する。すなわち、第１ボス２１４の凹部２１４４内に第２ボス２２４の先端部が入る。このとき、ガイド部２１４２は、第１ボス２１４および第２ボス２２４の突出方向に対して垂直な平面（ＸＹ平面）において、第１ボス２１４に対して第２ボス２２４を位置決めするガイドとして機能する。
【００３１】
第１ボス２１４の凹部２１４４と第２ボス２２４の先端部とが係合する際に、凹部２１４４の底面２１４４ａ、すなわち第１ボス本体２１４１の先端面には、第２先端面２２４ａが突き当たる。凹部２１４４の底面２１４４ａは、ネジ挿入孔２１４３が延びる方向、すなわち第１ボス２１４の突出方向（Ｚ方向）に対して直交している。
【００３２】
そして、第１ボス２１４の凹部２１４４と第２ボス２２４の先端部とが係合した状態で、ネジ挿入孔２１４３および締結穴２２４３に締結ネジ２３が挿入され、締結ネジ２３が締められる。このため、第２先端面２２４ａおよび凹部２１４４の底面２１４４ａが、締結ネジ２３による締結面となる。第２先端面２２４ａおよび凹部２１４４の底面２１４４ａは、締結ネジ２３の軸方向（Ｚ方向）に対して直交しているため、締結面が締結ネジ２３の軸方向に対して直交することになる。これにより、本実施形態とは異なり、第１ボス２１４の突出方向に対して傾斜した面が締結面となる場合、すなわち、締結面が締結ネジ２３の軸方向に対して直交せずに交差する場合に比べ、締結ネジ２３による締結力を高めることができる。
【００３３】
図８および図９に基づいて、従来技術の筐体２において第１筐体部材２１と第２筐体部材２２とが組み合わされる場合と、本実施形態の筐体２において第１筐体部材２１と第２筐体部材２２とが組み合わされる場合との違いについて説明する。
【００３４】
図８に示すように、従来技術の筐体２は、本実施形態の筐体２と略同様に構成されているが、第１ボス２１４の第１先端面２１４ａが、第１ボス２１４の突出方向に対して傾斜しておらず、平行である点で異なっている。
【００３５】
上述したように、第１筐体部材２１にケーブル４の一方の端部が固定され、第２筐体部材２２にケーブル４の他方の端部が固定されている。また、ケーブル４は、余裕のある長さとなっている。このため、第１筐体部材２１と第２筐体部材２２とが組み合わされる際に、第１ボス２１４と第２ボス２２４とが対向した状態において第１ボス２１４と第２ボス２２４との間にケーブル４が入り込みやすくなっている。また、上述したように、第１筐体部材２１と第２筐体部材２２とが組み合わされた状態では、筐体２の外部から筐体２の内部を視認することができない。このため、作業者が、第１筐体部材２１と第２筐体部材２２とを組み合わせる際に、筐体２の外部から第１ボス２１４および第２ボス２２４を見ながら、第１ボス２１４と第２ボス２２４との間にケーブル４が入り込まないようにケーブル４をよけることが困難である。なお、筐体２の外部から筐体２の内部をまったく視認できなくはないが、視認困難である場合も、同様の課題がある。
【００３６】
第１ボス２１４と第２ボス２２４との間にケーブル４が入り込んだ状態で、第１ボス２１４の凹部２１４４と第２ボス２２４の先端部とが係合すると、第１ボス２１４と第２ボス２２４との間にケーブル４が挟み込まれてしまう。この場合、第１筐体部材２１と第２筐体部材２２との間に隙間が生じ、筐体２の密閉度が低下することによりエア漏れが生じ、スピーカー装置Ａの音質が低下するおそれがある。また、挟み込まれたケーブル４が破損するおそれもある。なお、このようなケーブル４の挟み込みを回避するために、ケーブル４を、第１筐体部材２１或いは第２筐体部材２２に設けられたリブ等にテープ等で固定したり、リブ等に形成されたスリットに嵌めて固定したりすることも考えられる。しかしながら、このような場合には、ケーブル４を固定する作業が発生する分、作業効率が低下し、また、テープ等を用いる場合には材料費が上昇してしまう。
【００３７】
これに対し、図９に示すように、本実施形態の筐体２では、第１ボス２１４の第１先端面２１４ａが、第１ボス２１４の突出方向に対して傾斜している。このため、第１ボス２１４と第２ボス２２４とが対向した状態において第１ボス２１４と第２ボス２２４との間にケーブル４が入り込んでいる場合にも、第１ボス２１４の凹部２１４４と第２ボス２２４の先端部とが係合する際に、ケーブル４が第２ボス２２４により押され、第１先端面２１４ａに沿って移動する。これにより、第１ボス２１４と第２ボス２２４との間からケーブル４を排出することができる。また、この場合、ケーブル４を固定する作業が発生せず、テープ等の追加の材料も必要としない。
【００３８】
なお、第１ボス突出面２１２ａに対する第１先端面２１４ａの傾斜角度は、特に限定されるものではないが、３０度以上且つ６０度以下であることが好ましく、４０度以上且つ５０度以下であることがより好ましい。第１先端面２１４ａの傾斜角度が３０度以上であれば、第１ボス２１４と第２ボス２２４との間からケーブル４を効果的に排出することができる。また、第１先端面２１４ａの傾斜角度が６０度以下であれば、第１ボス２１４の突出高さが低くなるため、第１筐体部材２１の金型を薄くすることができ、金型に要するコストを削減することができる。
【００３９】
図１０および図１１に基づいて、第１先端面２１４ａが向いた方向と、ケーブル４の配線方向Ｄとの関係について説明する。第１ボス２１４の突出方向（Ｚ方向）を軸とした周方向において、第１先端面２１４ａは、ケーブル４のうち第１ボス２１４に最も近い部分におけるケーブル４の配線方向Ｄ（Ｙ方向）に対して交差する方向（＋Ｘ方向）を向いている。この場合、第１ボス２１４と第２ボス２２４とが対向した状態において第１ボス２１４と第２ボス２２４との間にケーブル４が入り込んだとしても、入り込んだケーブル４の配線方向Ｄ（Ｙ方向）は、第１先端面２１４ａが向いた方向（＋Ｘ方向）に対して交差する。このため、第１ボス２１４と第２ボス２２４との間からケーブル４を効果的に排出することができる。なお、ケーブル４の配線方向Ｄに対して交差する方向とは、直交する方向、すなわち９０度の角度で交差する方向に限らず、任意の角度で交差する方向を含む概念である。
【００４０】
以上のように、本実施形態の筐体２は、内部にケーブル４が収容され、第１筐体部材２１と、第２筐体部材２２とを備えている。第１筐体部材２１は、第１ボス突出面２１２ａから突出した第１ボス２１４を有する。第２筐体部材２２は、第２ボス突出面２２２ａから突出した第２ボス２２４を有する。第１ボス２１４は、第１筐体部材２１と第２筐体部材２２とが組み合わされる際に、第２ボス２２４と係合する。第１ボス２１４の先端面である第１先端面２１４ａは、第１ボス２１４の突出方向に対して傾斜している。
【００４１】
この構成によれば、第１筐体部材２１と第２筐体部材２２とが組み合わされる際に、第１筐体部材２１に設けられた第１ボス２１４と第２筐体部材２２に設けられた第２ボス２２４との間にケーブル４が挟み込まれることを抑制することができる。したがって、筐体２の密閉度が低下することを抑制することができ、また、ケーブル４が破損することを抑制することができる。
【００４２】
本実施形態では、第１筐体部材２１にケーブル４の一方の端部が固定され、第２筐体部材２２にケーブル４の他方の端部が固定されていることで、第１筐体部材２１と第２筐体部材２２とが組み合わされる際に、第１ボス２１４と第２ボス２２４との間にケーブル４が入り込みやすくなるため、本構成が特に有用である。また、本実施形態では、第１筐体部材２１と第２筐体部材２２とが組み合わされる際に、作業者が筐体２の外部から第１ボス２１４および第２ボス２２４を見ながら、第１ボス２１４と第２ボス２２４との間にケーブル４が入り込まないようにケーブル４をよけることが困難であるため、本構成が特に有用である。
【００４３】
また、本実施形態のスピーカー装置Ａは、筐体２と、筐体２に収容されたケーブル４と、筐体２に収容されたスピーカーユニット１とを備えている。
【００４４】
この構成によれば、筐体２の密閉度が低下することを抑制することができるため、エア漏れが少なく、音質の良好なスピーカー装置Ａを提供することができる。
【００４５】
本実施形態の変形例について説明する。なお、各変形例では、説明済みの実施形態或いは変形例と同様の内容については、適宜説明を省略し、説明済みの実施形態或いは変形例とは異なる点を中心に説明する。
【００４６】
図１２に基づいて、第１変形例の筐体２Ａについて説明する。筐体２Ａでは、第１筐体部材２１が、第１ボス２１４の周側面から突出した周側面突出部２１６を備えている。周側面突出部２１６は、第１先端面２１４ａの頂部２１４５、すなわち第１先端面２１４ａのうち第１ボス突出面２１２ａに対する突出高さが最も高い位置、に連続した連続面２１６ａを有している。連続面２１６ａは、第１先端面２１４ａと同様に、第１ボス２１４の突出方向に対して傾斜している。すなわち、連続面２１６ａは、第１ボス突出面２１２ａに対して傾斜している。なお、第１ボス突出面２１２ａに対する連続面２１６ａの傾斜角度は、第１先端面２１４ａの傾斜角度と等しいが、これに限定されるものではなく、第１先端面２１４ａの傾斜角度よりも小さくてもよく、大きくてもよい。
【００４７】
図１３および図１４に基づいて、上記した実施形態の筐体２の第１ボス２１４と、第１変形例の筐体２Ａの第１ボス２１４との違いについて説明する。
【００４８】
図１３に示すように、上記した実施形態の筐体２の第１ボス２１４には、周側面突出部２１６が設けられていない。このため、例えば、ケーブル４が複数本束ねられたものであって、ケーブル４にケーブル４の長さ方向に沿った溝４ａがあるような場合には、ケーブル４の溝４ａが第１先端面２１４ａの頂部２１４５に引っ掛かる場合がある。このような場合、第２ボス２２４によりケーブル４が押されても、ケーブル４が第１先端面２１４ａに引っ掛かっているため、ケーブル４が第１先端面２１４ａに沿って移動しないおそれがある。
【００４９】
これに対し、図１４に示すように、第１変形例の筐体２Ａの第１ボス２１４は、第１先端面２１４ａの頂部２１４５に連続した連続面２１６ａを有する周側面突出部２１６を備えているため、第１先端面２１４ａの頂部２１４５にケーブル４が引っ掛かることが抑制される。これにより、第１筐体部材２１と第２筐体部材２２とが組み合わされる際に、第１ボス２１４と第２ボス２２４との間にケーブル４が挟み込まれることを、より効果的に抑制することができる。
【００５０】
図１５および図１６に基づいて、第２変形例の筐体２Ｂについて説明する。筐体２Ｂでは、第２ボス２２４の先端面である第２先端面２２４ａが、第２ボス２２４の突出方向に対して傾斜している。また、第１ボス２１４の凹部２１４４の底面２１４４ａが、第２先端面２２４ａと同じ角度で傾斜している。第２ボス２２４の突出方向（Ｚ方向）を軸とした周方向において、第２先端面２２４ａが、第１先端面２１４ａが向いた方向（＋Ｘ方向）と同じ方向（＋Ｘ方向）を向いている。なお、第１筐体部材２１は、周側面突出部２１６を備えているが、これを備えていなくてもよい。また、第１ボス２１４の凹部２１４４の底面２１４４ａは、第２先端面２２４ａと同じ角度で傾斜した構成に限定されるものではなく、例えば、第１ボス２１４の突出方向に対して直交していてもよい。
【００５１】
この構成によれば、第２先端面２２４ａが第１先端面２１４ａに対して為す角度θが、第２先端面２２４ａが第２ボス突出面２２２ａに対して平行である場合に比べ、９０度に近づく。このため、第２ボス２２４によりケーブル４が第１先端面２１４ａに沿った方向に押される力が強くなり、第１ボス２１４と第２ボス２２４との間からケーブル４を効果的に排出することができる。
【００５２】
図１７および図１８に基づいて、第３変形例の筐体２Ｃについて説明する。筐体２Ｃでは、第２ボス２２４の先端面である第２先端面２２４ａが、第２ボス２２４の突出方向に対して傾斜している。第２ボス２２４の突出方向（Ｚ方向）を軸とした周方向において、第２先端面２２４ａが、第１先端面２１４ａが向いた方向（＋Ｘ方向）に対して交差する方向（＋Ｙ方向）を向いている。なお、第１筐体部材２１は、周側面突出部２１６を備えているが、これを備えていなくてもよい。
【００５３】
この構成によれば、第１ボス２１４と第２ボス２２４との間に入り込んだケーブル４の配線方向Ｄが、Ｙ方向である場合には（図１８では、この場合のケーブル４を黒い円形で示す。）、第１先端面２１４ａが、配線方向Ｄに対して交差する方向（＋Ｘ方向）を向いているため、第１ボス２１４と第２ボス２２４との間からケーブル４を効果的に排出することができる。また、第１ボス２１４と第２ボス２２４との間に入り込んだケーブル４の配線方向Ｄが、Ｘ方向である場合には（図１８では、この場合のケーブル４を太い２点鎖線で示す。）、第２先端面２２４ａが、配線方向Ｄに対して交差する方向（＋Ｙ方向）を向いているため、この場合も、第１ボス２１４と第２ボス２２４との間からケーブル４を効果的に排出することができる。このように、第１ボス２１４と第２ボス２２４との間に入り込んだケーブル４の配線方向Ｄの如何によらず、第１ボス２１４と第２ボス２２４との間からケーブル４を効果的に排出することができる。なお、ケーブル４の配線方向Ｄに対して交差する方向とは、直交する方向、すなわち９０度の角度で交差する方向に限らず、任意の角度で交差する方向を含む概念である。
【００５４】
図１９に基づいて、第４変形例の筐体２Ｄについて説明する。筐体２Ｄでは、第１ボス２１４に締結穴２１４６が設けられ、第２ボス２２４にネジ挿入孔２２４６が設けられている。このように、第１ボス２１４および第２ボス２２４のいずれにネジ挿入孔２１４３，２２４６が設けられ、いずれに締結穴２２４３，２１４６が設けられるかは、特に限定されるものではない。
【００５５】
続いて、筐体２のその他の変形例について説明する。筐体２は、第１筐体部材２１と第２筐体部材２２との２つの部材から成るが、これに限定されるものではなく、第１筐体部材２１および第２筐体に他の部材を加えた合計３つ以上の部材から成る構成でもよい。
【００５６】
第１ボス２１４は、途中で折れ曲がっていてもよい。この場合、第１ボス２１４の突出方向とは、折れ曲がった箇所から先端側に延びる方向を意味する。例えば、第１ボス２１４が、Ｚ方向に平行な面からＸ方向に突出し、途中でＺ方向に折れ曲がっている場合には、第１ボス２１４の突出方向は、折れ曲がった箇所から先端側に延びる方向、すなわち、Ｚ方向となる。同様に、第２ボス２２４は、途中で折れ曲がっていてもよい。この場合も、第２ボス２２４の突出方向とは、折れ曲がった箇所から先端側に延びる方向を意味する。
【００５７】
第１筐体部材２１および第２筐体部材２２の形状は、略「Ｌ」字状に限定されるものではない。また、スピーカー装置Ａは、バータイプのものに限定されるものではなく、如何なる種類、形状のものであってもよい。筐体２に収容されるスピーカーユニット１の個数は、特に限定されるものではなく、１個でもよく、６個以外の複数個でもよい。
【００５８】
第１先端面２１４ａは、完全な平面である必要はなく、本発明の効果を妨げない範囲で曲面でもよい。同様に、第２先端面２２４ａは、完全な平面である必要はなく、本発明の効果を妨げない範囲で曲面でもよい。
【００５９】
本実施形態では、「第１凸部」および「第２凸部」の一例として、第１ボス２１４および第２ボス２２４をそれぞれ挙げたが、これに限定されるものではない。例えば、図２０に示した第５変形例の筐体２Ｅのように、「第１凸部」としてフック受け部５１を、「第２凸部」としてフック部５２を備えてもよい。フック受け部５１は、第１筐体部材２１の内面から突出している。フック部５２は、第２筐体部材２２の内面から突出している。フック部５２は、第１筐体部材２１と第２筐体部材２２とが組み合わされる際に、フック受け部５１と対向した状態からフック受け部５１と係合すなわちフッキングする。そして、フック受け部５１の先端面である第１先端面５１ａは、フック受け部５１の突出方向に対して傾斜している。このように、「第１凸部」および「第２凸部」は、ボス状のものに限定されるものではなく、また、ネジ締結用のものに限定されるものでもない。
【００６０】
本実施形態では、「線材」の一例として、ケーブル４を挙げたが、これに限定されるものではなく、例えば、コードでもよく、内部に導線を含まない紐でもよい。
【００６１】
本実施形態では、「筐体」の一例として、スピーカー装置Ａが備える筐体２を挙げたが、これに限定されるものではない。例えば、スピーカー装置Ａ以外の電子機器（例えば、パソコン）の筐体でもよく、電子機器以外の筐体でもよい。
【００６２】
本発明は上記した実施形態や変形例に限定されず、その趣旨を逸脱しない範囲で種々の構成を採用可能であることは言うまでもない。
【符号の説明】
【００６３】
２…筐体、４…ケーブル、２１…第１筐体部材、２２…第２筐体部材、２１２…第１ボス壁部、２１２ａ…第１ボス突出面、２１４…第１ボス、２１４ａ…第１先端面、２２２…第２ボス壁部、２２２ａ…第２ボス突出面、２２４…第２ボス、２２４ａ…第２先端面、２１４１…第１ボス本体、２１４２…ガイド部、２１４３…ネジ挿入孔、２１４４…凹部、２１４４ａ…底面、２２４３…締結穴
【図１】
2018125421.tif 000003
【図２】
2018125421.tif 000004
【図３】
2018125421.tif 000005
【図４】
2018125421.tif 000006
【図５】
2018125421.tif 000007
【図６】
2018125421.tif 000008
【図７】
2018125421.tif 000009
【図８】
2018125421.tif 000010
【図９】
2018125421.tif 000011
【図１０】
2018125421.tif 000012
【図１１】
2018125421.tif 000013
【図１２】
2018125421.tif 000014
【図１３】
2018125421.tif 000015
【図１４】
2018125421.tif 000016
【図１５】
2018125421.tif 000017
【図１６】
2018125421.tif 000018
【図１７】
2018125421.tif 000019
【図１８】
2018125421.tif 000020
【図１９】
2018125421.tif 000021
【図２０】
2018125421.tif 000022